(57)【特許請求の範囲】
【請求項１】
設置面内に埋設された埋設物を避けるようにアンカーボルトで該設置面に固定され、柱脚を該設置面に固定するためのベースプレートであって、
前記設置面に前記アンカーボルトで固定される板部と、
該板部から突出し前記柱脚に形成された貫通孔に挿通され前記柱脚を固定する締結部材と、を備え、
前記板部は、平面視において長方形の１つ以上の角部が切除されて隅切部を有する１枚の平板に形成されているとともに、前記アンカーボルトがそれぞれ挿通される２つの孔部が形成されていて、
該２つの孔部の中心を結ぶ線に対して、前記締結部材および前記隅切り部が同じ側に設けられていることを特徴とするベースプレート。
【請求項２】
設置面内に埋設された埋設物を避けるようにアンカーボルトで該設置面に固定された柱脚を該設置面に固定するベースプレートを用いた柱脚の固定構造であって、
前記ベースプレートは、前記設置面に前記アンカーボルトで固定される板部と、
該板部から突出し前記柱脚に形成された貫通孔に挿通され前記柱脚を固定する締結部材と、を備え、
前記板部は、平面視において長方形の１つ以上の角部が切除されて隅切部を有する形状に形成されていて、
一対の前記ベースプレートが前記設置面に隣接して配され、前記一対のベースプレートにそれぞれ前記柱脚が固定されていて、
前記一対のベースプレートは、前記設置面内において互いに異なる向きで、前記隅切部どうしが近接するように配されていることを特徴とするベースプレートを用いた柱脚の固定構造。
【発明の詳細な説明】
【技術分野】
【０００１】
本発明は、柱脚を床などの設置面に固定するためのベースプレートおよびこのベースプレートを用いた柱脚の固定構造に関する。
【背景技術】
【０００２】
従来より、柱脚を基礎や床などに固定する場合、柱脚の下端面にその外周縁が柱脚の側面よりも外方へ突出する形状のベースプレートを溶接して予め一体化させ、このベースプレートの外周縁近傍をアンカーボルトで基礎や床などに固定している（例えば、特許文献１参照）。
また、柱脚とベースプレートとを予め一体化させずに、ボルトが一体化したベースプレートを基礎や床面にアンカーボルトで固定し、ボルトおよびこのボルトに螺合するナットで柱脚とベースプレートとを連結する方法もある。
【０００３】
これらのベースプレートには、アンカーボルトが挿通される貫通孔が予め形成されているため、柱脚の位置が決まるとアンカーボルトの位置も決まるようになっている。
しかし、アンカーボルトが、基礎や床に埋設された鉄筋や配管、配線などの埋設物と干渉する虞があるときは、アンカーボルトの位置をずらすために、ベースプレートの位置をずらしたり、向きを変えたりしている。
ここで、ベースプレートの位置をずらすと柱脚の位置もずれてしまうが、ベースプレートと柱脚とが一体化していない場合には、ボルト（柱脚）の位置を基準としてベースプレートの向きを変えることで、柱脚の位置を変更せずに柱脚を基礎や床に固定することができる。
【先行技術文献】
【特許文献】
【０００４】
【特許文献１】特開２００９−６２７１７号公報
【発明の概要】
【発明が解決しようとする課題】
【０００５】
しかしながら、ベースプレートは通常、平面視長方形状に形成されているため、柱脚が隣接してベースプレートが隣接している場合に、アンカーボルトの位置をずらすためにベースプレートの向きを変えようとすると、ベースプレートの角部が隣接するベースプレートと干渉してしまい、ベースプレートを所望の向きに設置できないことがある。
このようなときには、ベースプレートの位置を変更させなければならず、柱脚が所望の位置に配列されないという問題がある。
【０００６】
本発明は、上述する問題点に鑑みてなされたもので、アンカーボルトの位置をずらすために向きを変えても、互いに干渉することなく隣接させて設置することができるベースプレートおよびこのベースプレートを用いた柱脚の固定構造を提供することを目的とする。
【課題を解決するための手段】
【０００７】
上記目的を達成するため、本発明に係るベースプレートは、設置面内に埋設された埋設物を避けるようにアンカーボルトで該設置面に固定され、柱脚を該設置面に固定するためのベースプレートであって、前記設置面に前記アンカーボルトで固定される板部と、該板部から突出し前記柱脚に形成された貫通孔に挿通され前記柱脚を固定する締結部材と、を備え、前記板部は、平面視において長方形の１つ以上の角部が切除されて隅切部を有する１枚の平板に形成されているとともに、前記アンカーボルトがそれぞれ挿通される２つの孔部が形成されていて、該２つの孔部の中心を結ぶ線に対して、前記締結部材および前記隅切り部が同じ側に設けられていることを特徴とする。
【０００８】
また、本発明に係るベースプレートを用いた柱脚の固定構造は、設置面内に埋設された埋設物を避けるようにアンカーボルトで該設置面に固定された柱脚を該設置面に固定するベースプレートを用いた柱脚の固定構造であって、前記ベースプレートは、前記設置面に前記アンカーボルトで固定される板部と、該板部から突出し前記柱脚に形成された貫通孔に挿通され前記柱脚を固定する締結部材と、を備え、前記板部は、平面視において長方形の１つ以上の角部が切除されて隅切部を有する形状に形成されていて、一対の前記ベースプレートが前記設置面に隣接して配され、前記一対のベースプレートにそれぞれ前記柱脚が固定されていて、前記一対のベースプレートは、前記設置面内において互いに異なる向きで、前記隅切部どうしが近接するように配されていることを特徴とする。
【０００９】
本発明では、板部は、長方形の１つ以上の角部が切除されて隅切部を有する形状に形成されている。これにより、アンカーボルトが埋設物に当たらないようにアンカーボルトの位置をずらすときに、隣接するベースプレートを互いに異なる向きに設置して、隅切部どうしを近接させれば、角部を近接させる場合と比べて、ベースプレートどうしが干渉しにくいため、ベースプレートを所望の向きに設置することができる。
そして、ボルトを基準としてベースプレートの向きを変えれば、柱脚の位置をずらさずにアンカーボルトの位置をずらすことができる。
【発明の効果】
【００１０】
本発明によれば、ベースプレートを所望の向きに設置することができることにより、アンカーボルトの位置をずらすためにベースプレートの位置をずらす必要がないため、所望の位置に柱脚を固定することができる。
【図面の簡単な説明】
【００１１】
【図１】（ａ）は本発明の実施形態によるベースプレートを用いて架台を固定した様子を示す図で（ｂ）のＡ−Ａ線断面図、（ｂ）は（ａ）のＢ−Ｂ線断面図である。
【図２】（ａ）は本発明の実施形態によるベースプレートの一例を示す上面図、（ｂ）は（ａ）の正面図である。
【図３】（ａ）、（ｂ）は、ベースプレートの向きを説明する図である。
【図４】架台を隣接して設置する様子を示す図である。
【図５】隣接するベースプレートの向きを説明する図である。
【発明を実施するための形態】
【００１２】
以下、本発明の実施形態によるベースプレートおよびベースプレートを用いた柱脚の固定構造について、図１乃至図３に基づいて説明する。
図１（ａ）、（ｂ）に示すように、本実施形態によるベースプレート１は、架台１１を建物の床Ｆに固定する際に、架台１１の柱脚１２と床Ｆとの間に設置されている。
図２（ａ）、（ｂ）に示すように、ベースプレート１は、床Ｆに固定される板部２と、該板部２から突出するボルト（締結部材）３と、該ボルト３に螺合するナット４と、を備えている。
ここで、図１に示すように、架台１１の柱脚１２は、断面形状略Ｌ字状の鋼材で形成され、下端部１２ａにボルト３が貫通可能な貫通孔１３ａが形成されたプレート１３が取り付けられている。そして、架台１１は、プレート１３の貫通孔１３ａにボルト３が挿通され、ボルト３にナット４が締結されることで、ベースプレート１に固定されるように構成されている。
【００１３】
図２（ａ）に示すように、板部２は、平面視において、長方形２１の隣り合う２つの角部２２，２２が、この２つの角部２２，２２間の辺の一部を残すようにそれぞれ切除されて、隅切部２３を有する六角形に形成されている。
また、図２（ａ）、（ｂ）に示すように、板部２には、板部２を床Ｆに固定するためのアンカーボルト１４（図１参照）が挿通される２つの孔部２４，２４が形成されている。
ボルト３は、板部２の長手方向のほぼ中央部に位置しており、板部２が床Ｆ（図１参照）に固定されたときに、上方へ突出するように形成されている。
【００１４】
上述したベースプレート１を用いて、図１に示すように、架台１１を床Ｆに固定するには、まず、床Ｆにアンカーボルト１４を設置し、このアンカーボルト１４が板部２の孔部２４に挿通されるようにベースプレート１を設置し、アンカーボルト１４でベースプレート１を床Ｆに固定する。
続いて、ベースプレート１のボルト３が、架台１１の柱脚１２に取り付けられたプレート１３の貫通孔１３ａに挿通されるように架台１１を設置する。そして、ボルト３にナット４を締結してベースプレート１と柱脚１２とを固定する。これにより、架台１１が床Ｆに固定される。
【００１５】
ここで、アンカーボルト１４の位置は、ベースプレート１の板部２の孔部２４の位置と対応し、ベースプレート１の位置は、架台１１の柱脚１２の位置と対応している。このため、架台１１の位置が決定されると、ベースプレート１の位置が決定され、アンカーボルト１４の位置も決定される。また、アンカーボルト１４は、床Ｆの内部に埋設されている鉄筋や配管、配線などの埋設物（図３参照）１５と干渉しないように設置しなければならない。
【００１６】
このため、図３（ａ）に示すように、アンカーボルト１４が埋設物１５と干渉してしまう場合は、ベースプレート１と移動させたり、向きを変えたりして、アンカーボルト１４が挿通される孔部２４の位置を変えてアンカーボルト１４の位置を変える必要がある。
このとき、ベースプレート１を移動させると柱脚１２（図１参照）の位置が変わり、架台１１（図１参照）の位置が変わってしまうが、図３（ｂ）に示すように、ベースプレート１のボルト３の位置を基準としてベースプレート１の向きを変えれば、ボルト３の位置は変わらないため、架台１１の位置を変えずにアンカーボルト１４の位置を変えることができる。
【００１７】
ここで、図４に示すように、２台の架台１１Ａ，１１Ｂを隣接して設置する場合は、隣り合う柱脚１２Ａ，１２Ｂをそれぞれ床Ｆに固定するベースプレート１Ａ，１Ｂも隣接している。そして、図５（ａ）、（ｂ）に示すように、アンカーボルト１４の位置をずらすために、隣接するベースプレート１Ａ，１Ｂを互いに異なる向きで設置するときは、ベースプレート１Ａ，１Ｂの隅切部２３Ａ，２３Ｂが互いに近接するように設置する。
このようにベースプレート１Ａ，１Ｂを設置することにより、平面視長方形状の従来のベースプレートと比べて角部がないため、ベースプレート１Ａ，１Ｂどうしが干渉することがなく、ベースプレート１Ａ，１Ｂを所望の向きに設置することができる。
【００１８】
次に、上述したベースプレート１およびベースプレート１を用いた柱脚１２の固定構造の効果について図面を用いて説明する。
本実施形態によるベースプレート１によれば、板部２に隅切部２３が形成されていることにより、ベースプレート１が互いに異なる向きに隣接して設置された場合に、隅切部２３を近接させることでベースプレート１Ａ，１Ｂどうしが干渉することがなく、ベースプレート１Ａ，１Ｂを所望の向きに設置することができるため、アンカーボルト１４の位置をずらすためにベースプレート１の位置をずらす必要がなく、所望の位置に柱脚を固定することができる。
【００１９】
以上、本発明によるベースプレートの実施形態について説明したが、本発明は上記の実施形態に限定されるものではなく、その趣旨を逸脱しない範囲で適宜変更可能である。
例えば、上述した実施形態では、板部２は、平面視において、長方形２１の隣り合う２つの角部２２，２２が、この２つの角部２２，２２間の辺の一部を残すようにそれぞれ切除されて、隅切部２３を有する六角形に形成されているが、１つの角部２２だけが切除され１つの隅切部２３を有する形状としてもよく、２つの角部２２，２２間の辺の一部を残さずに隣り合う２つの角部２２，２２を切除してもよい。また、板部２は、平面視において、隣り合わない２つの角部２２，２２を切除した形状としてもよく、３つや４つの角部２２を切除した形状としてもよい。
また、上述した実施形態では、２台の架台１１を並べて設置しているが、３台以上の架台１１を並べて設置してもよい。
また、上述した実施形態では、ベースプレート１の板部２にアンカーボルト１４用の２つの孔部２４，２４が形成されているが、アンカーボルト１４および孔部２４の数や、位置は適宜設定されてもよい。
また、上述した実施形態では、ボルト３は、板部２の長手方向のほぼ中央部に位置しているが、これ以外の位置に設置されていてもよい。
【符号の説明】
【００２０】
１，１Ａ，１Ｂ  ベースプレート
２  板部
３  ボルト（締結部材）
４  ナット
１１，１１Ａ，１１Ｂ  架台
１２，１２Ａ，１２Ｂ  柱脚
１３  プレート
１３ａ  貫通孔
１４  アンカーボルト
１５  埋設物
２２  角部
２３，２３Ａ，２３Ｂ  隅切部
Ｆ  床（設置面）  
【図１】
0005677072.tif 000002
【図２】
0005677072.tif 000003
【図３】
0005677072.tif 000004
【図４】
0005677072.tif 000005
【図５】
0005677072.tif 000006